(57)【要約】【課題】Ｕ字溝の側壁部に対して垂直方向及び斜めの方向から土圧がかかったとしても、Ｕ字溝側壁の内方への変形を防止可能なＵ字溝用補強構造体を提供すること。【解決手段】  Ｕ字溝の内側に固定される補強構造体であって、Ｕ字溝の底壁内面の上に又はその上方に、その幅方向に延びて設けられたベース部と、該ベース部の両端部位から上方へと立ち上がりそしてＵ字溝の側壁内面の上に又はそれより離れてそれぞれ延設された左右のサイド部と、該左右のサイド部の上端部位から外方へとそれぞれ延接された左右のフランジ部と、該左のサイド部の上端部位と該右サイド部の上端部位とを繋ぐ連結部とを、一体に成形してなり、そして、前記ベース部の外側表面は、Ｕ字溝の底壁内面に倣う又はそれに対応する形状を成し、前記サイド部の外側表面は、Ｕ字溝の側壁内面に倣う又はそれに対応する形状を成すことを特徴とする、Ｕ字溝用補強構造体。【選択図】図１
2017155519.tif 000002
【特許請求の範囲】
【請求項１】
Ｕ字溝の内側に固定される補強構造体であって、
Ｕ字溝の底壁内面の上に又はその上方に、その幅方向に延びて設けられたベース部と、
該ベース部の両端部位から上方へと立ち上がりそしてＵ字溝の側壁内面の上に又はそれより離れてそれぞれ延設された左右のサイド部と、
該左右のサイド部の上端部位から外方へとそれぞれ延接された左右のフランジ部と、
該左のサイド部の上端部位と該右サイド部の上端部位とを繋ぐ連結部とを、
一体に成形してなり、そして、
前記ベース部の外側表面は、Ｕ字溝の底壁内面に倣う又はそれに対応する形状を成し、前記サイド部の外側表面は、Ｕ字溝の側壁内面に倣う又はそれに対応する形状を成すことを特徴とする、Ｕ字溝用補強構造体。
【請求項２】
Ｕ字溝の内側に固定される補強構造体であって、
Ｕ字溝の底壁内面の上に又はその上方に、その幅方向に延びて設けられたベース部と、
該ベース部の両端部位から上方へと立ち上がりそしてＵ字溝の側壁内面の上に又はそれより離れてそれぞれ延設された左右のサイド部と、
該左右のサイド部の上端部位から外方へとそれぞれ延接された左右のフランジ部とを一体に成形してなり、また
該左右のフランジ部の間を架け渡すに足りる長さの架け渡し部材と、
該架け渡し部材を該左右のフランジ上に固定することができる固定手段とを備えてなり、そして
前記ベース部の外側表面は、Ｕ字溝の底壁内面に倣う又はそれに対応する形状を成し、前記サイド部の外側表面は、Ｕ字溝の側壁内面に倣う又はそれに対応する形状を成すことを特徴とする、Ｕ字溝用補強構造体。
【請求項３】
Ｕ字溝の内側に固定される補強構造体であって、
Ｕ字溝の底壁内面の上に又はその上方に、その幅方向に延びて設けられたベース部と、
該ベース部の両端部位から上方へと立ち上がりそしてＵ字溝の側壁内面の上に又はそれより離れてそれぞれ延設された左右のサイド部と、
該左右のサイド部の上端部位から外方へとそれぞれ延接された左右のフランジ部と、
該左のサイド部の上端部位より下方でＵ字溝の側壁と対面する部位と該右のサイド部の上端部位より下方でＵ字溝の側壁と対面する部分とを繋ぐ連結部とを、
一体に成形してなり、そして、
前記ベース部の外側表面は、Ｕ字溝の底壁内面に倣う又はそれに対応する形状を成し、前記サイド部の外側表面は、Ｕ字溝の側壁内面に倣う又はそれに対応する形状を成すことを特徴とする、Ｕ字溝用補強構造体。
【発明の詳細な説明】
【技術分野】
【０００１】
本発明は、Ｕ字溝において、その内側に固定して使用されるＵ字溝用の補強構造体に関する。
【背景技術】
【０００２】
農業用、工業用或いは山間地等での水路又は排水路として、従来コンクリート製のＵ字溝が使用されてきたが、近年、コンクリート製のＵ字溝に代えて合成樹脂製のＵ字溝が提案されている。この合成樹脂製のＵ字溝は、従来のコンクリート製のＵ字溝と比較して軽量のため、輸送性及び施工性の点で優れている。
しかし、合成樹脂製のＵ字溝は、コンクリート製のＵ字溝と比較して、剛性がより低く、このためＵ字溝の外側からの土圧により、側壁の上部がＵ字溝内側に倒れ込んだり、あるいは側壁の中央部がＵ字溝の内側に撓んだりする等のＵ字溝側壁が内方に変形をする可能性がより大きいという問題があった。
【０００３】
そのため、Ｕ字溝壁面に剛性を向上させるべく、Ｕ字溝の底壁部と両側壁部とに、長手方向に直交する方向へ延びる多数の凹条及び凸条が形成されるよう、波形に成形されたＵ字溝が提案されている（特許文献１参照）。
さらに、Ｕ字溝の左右の側壁部を内方に変形させる力に対して高い剛性をＵ字溝の側壁部に付与するべく、成形されたＵ字溝においてその内側に嵌め付けられ固定される補強枠であって、硬質合成樹脂又は繊維強化樹脂からなる略ロ字形の枠であり、該枠の外側表面はＵ字溝の底壁部及び左右の側壁部の各内面と実質密接する形状をなし、該左右の側壁部をＵ字溝内方への変形に対して支持する構造を有することを特徴とするＵ字溝用補強枠が提案されている（特許文献２）。
【先行技術文献】
【特許文献】
【０００４】
【特許文献１】特開平１１―１９５６号公報
【特許文献２】特許第３４５５９１３号
【発明の概要】
【発明が解決しようとする課題】
【０００５】
特許文献１に記載のＵ字溝は、底壁及び両側壁が板状のＵ字溝に対して剛性は強くなっているものの、Ｕ字溝の側壁上部間は解放されているので、例えば山野斜面等のより強い土圧がかかる場所に使用した場合には、Ｕ字溝の側壁部が内側に倒れ込んでしまう可能性がある。
一方、特許文献２に記載のＵ字溝用補強枠は、該枠の外側表面はＵ字溝の底壁部及び左右の側壁部の各内面と実質密接する形状をなしているので、Ｕ字溝の側壁部に対して垂直方向の土圧がかかったとき、Ｕ字溝の側壁部の間に挟持される様に嵌め付けられ固定されるので、Ｕ字溝の側壁部がＵ字溝内側に倒れ込んだり、あるいは側壁部の中央部がＵ字溝の内側に撓んだりすることを防止することができる。しかし、このＵ字溝用補強枠は、Ｕ字溝の中に単に嵌め込まれただけのものであるので、Ｕ字溝側壁に対して垂直でない斜めの方向から土圧が加わったとき、Ｕ字溝用補強枠はＵ字溝のねじれ変形により位置ずれを生じてしまい、このねじれ変形を防止することができない可能性がある。
そこで、本発明の目的は、Ｕ字溝の側壁部に対して垂直方向及び斜めの方向から土圧がかかったとしても、Ｕ字溝の側壁が内側に倒れ込んだり、Ｕ字溝側壁の中央部が内側に撓んだり、ねじれ変形する等のＵ字溝側壁の内方への変形を防止可能なＵ字溝用補強構造体を提供することにある。
【課題を解決するための手段】
【０００６】
本発明者らは、鋭意研究の結果、一体成形された又は実質一体に固定される矩形枠状の構造体であって、Ｕ字溝の側壁上端部又はそれより伸びる補強フランジ部に固定できるフランジ部を備えた構造の新規な補強構造体をＵ字溝の内側に固定することにより、上記課題を解決できることを見出し、本発明を完成させた。すなわち、本発明はこの態様として、Ｕ字溝の内側に固定される補強構造体であって、Ｕ字溝の底壁内面の上に又はその上方に、その幅方向に延びて設けられたベース部と、該ベース部の両端部位から上方へと立ち上がりそしてＵ字溝の側壁内面の上に又はそれより離れてそれぞれ延設された左右のサイド部と、該左右のサイド部の上端部位から外方へとそれぞれ延接された左右のフランジ部と、該左のサイド部の上端部位と該右サイド部の上端位とを繋ぐ連結部とを、一体に成形してなり、そして、前記ベース部の外側表面は、Ｕ字溝の底壁内面に倣う又はそれに対応する形状を成し、前記サイド部の外側表面は、Ｕ字溝の側壁内面に倣う又はそれに対応する形状を成すことを特徴とする、Ｕ字溝用補強構造体に関する。
本発明は第二の態様として、Ｕ字溝の内側に固定される補強構造体であって、Ｕ字溝の底壁内面の上に又はその上方に、その幅方向に延びて設けられたベース部と、該ベース部の両端部位から上方へと立ち上がりそしてＵ字溝の側壁内面の３上に又はそれより離れてそれぞれ延設された左右のサイド部と、該左右のサイド部の上端部位から外方へとそれぞれ延接された左右のフランジ部とを一体に成形してなり、また該左右のフランジ部の間を架け渡すに足りる長さの架け渡し部材と、該架け渡し部材を該左右のフランジ上に固定することができる固定手段とを備えてなり、そして前記ベース部の外側表面は、Ｕ字溝の底壁内面に倣う又はそれに対応する形状を成し、前記サイド部の外側表面は、Ｕ字溝の側壁内面に倣う又はそれに対応する形状を成すことを特徴とする、Ｕ字溝用補強構造体に関する。
本発明は第三の態様として、Ｕ字溝の内側に固定される補強構造体であって、Ｕ字溝の底壁内面の上に又はその上方に、その幅方向に延びて設けられたベース部と、該ベース部の両端部位から上方へと立ち上がりそしてＵ字溝の側壁内面の上に又はそれより離れてそれぞれ延設された左右のサイド部と、該左右のサイド部の上端部位から外方へとそれぞれ延接された左右のフランジ部と、該左のサイド部の上端部位より下方でＵ字溝の側壁と対面する部位と該右のサイド部の上端部位より下方でＵ字溝の側壁と対面する部分とを繋ぐ連結部とを、一体に成形してなり、そして、前記ベース部の外側表面は、Ｕ字溝の底壁内面に倣う又はそれに対応する形状を成し、前記サイド部の外側表面は、Ｕ字溝の側壁内面に倣う又はそれに対応する形状を成すことを特徴とする、Ｕ字溝用補強構造体に関する。
また、本発明は、硬質合成樹脂または繊維強化樹脂からなるＵ字溝であって、その底壁及び左右の側壁について、溝内部より見て、凹形状の凹壁部及び凸形状の凸壁部を交互に溝の長手方向にわたって実質連続して形成してなり、該凹壁部は、平坦な底面と、この面及び凸壁部に連なる左右の斜面とを有する凹条構造を成し、また該凸壁部は、平坦な頂面と、この面及び凹壁部に連なる左右の斜面とを有する凸条構造を成し、そして前記左右の側壁上部において、前記凹壁部は、側壁の上端に向けて外方から内方へと絞り込まれた形状を成すとともに、該左右の側壁の上端において、外方に延びる補強フランジを溝の長手方向にわたって連続形成してなることを特徴とする新たなＵ字溝に使用するための、第１態様乃至第３態様に記載の補強構造体に関する。
【発明の効果】
【０００７】
本発明の補強構造体は、左右のサイド部がベース部及び連結部と一体に成形してなるので、サイド部の上部又は中央部に対し外側から内側に向けて力がかかったとしても、一体化されたベース部と連結部とがサイド部を支持することができ、サイド部は内側に変形しない。また、本発明の補強構造体は、左右のサイド部はベース部及び左右のフランジ部と一体に成形してなり、かつ、左右のフランジ部間を架け渡し部材で固定してなるので、サイド部の上部又は中央部に対し外側から内側に向けて力がかかったとしても、一体化され
たベース部と固定部材とがサイド部を支持することができ、サイド部は内側に変形しない。加えて、本発明の補強構造体は、ベース部及びサイド部の外側表面が、Ｕ字溝の底壁内面及び側壁内面に倣う又はそれに対応する形状を有するので、Ｕ字溝の側壁の内面を、補強構造体のサイド部表面で支持することができる。これにより、本発明の補強構造体は、Ｕ字溝に固定されることにより補強構造体のサイド部がＵ字溝の側壁を強く支持できるので、土圧により、Ｕ字溝の左右の側壁上部が内方に倒れ込むこと、あるいは側壁中央部が内方に撓むのを防止することができる。
加えて、本発明の補強構造体はいずれも、両サイド部が、ベース部のみならず、連結部若しくは架け渡し部材とも一体化しているので、両サイド部の上端に、ベース部と略垂直方向にずれる力をかけてもねじれる様に変形しない。そして、本発明の補強構造体は、Ｕ字溝の内側に固定されているので、Ｕ字溝の側壁部に斜め方向の力が加わっても、固定された補強構造体により側壁がＵ字溝の長手方向に沿って変形する動きを防止し、したがって側壁がねじれるように内側に倒れるのを防止することができる。
また、本発明のフランジ部を有する補強構造体は、そのフランジ部下面がＵ字溝側壁上端面と接する様にＵ字溝に設置され固定される。フランジ部があることにより補強構造体がＵ字溝内側に倒れこむのを防止でき固定作業が容易になる。
【０００８】
また、本発明の補強構造体は、ベース部と、サイド部と、フランジ部と、連結部とが一体に成形してなるので、Ｕ字溝に補強構造体を嵌め込み固定するだけで容易に設置することができる。連結部がサイド部上端部位に設けられている場合は、サイド部上端が内側に倒れ込んでくる力に対しより強い剛性を付与でき、連結部がサイド部上端部位より下方に設けられている場合は、サイド部の中央部位が内側に撓んでくる力に対しより強い剛性を付与できるため、用途に応じて使い分けることができる。また後者は、Ｕ字溝に蓋を設置する場合に好適に用いることができる。
また、ベース部、サイド部及びフランジ部を一体に成形してなる部材と架け渡し部材とを固定してなる補強構造体は、各部材がベース部、サイド部、フランジ部及び連結部を一体に成形した補強構造体よりも簡易な構造であるので製造コストが抑えられる。また、各部材を重ね合せることができる様に作成することで、運搬及び保管が容易になる。
【図面の簡単な説明】
【０００９】
【図１】図１（Ａ）は実施例１の補強構造体２の正面図であり、図１（Ｂ）は実施例１の補強構造体の２の斜視図である。
【図２】図２（Ａ）は実施例２の補強構造体３の正面図であり、図２（Ｂ）は実施例２の補強構造体３の斜視図である。
【図３】図３（Ａ）は実施例３の補強構造体４の正面図であり、図３（Ｂ）は実施例３の補強構造体４の斜視図である。
【図４】図４（Ａ）は実施例４の補強構造体５の正面図であり、図４（Ｂ）は実施例４の補強構造体５の斜視図である。
【図５】図５（Ａ）は実施例５の補強構造体２乃至５を固定したＵ字溝１の斜視図であり、図５（Ｂ）乃至図５（Ｅ）は夫々図５（Ａ）中のｂ−ｂ’、ｃ−ｃ’、ｄ−ｄ’及びｅ−ｅ’断面図である。
【発明を実施するための形態】
【００１０】
＜補強構造体＞
本発明の補強構造体は、Ｕ字溝の内側に固定される補強構造体に関する。
一態様において、該補強構造体は、Ｕ字溝の底壁内面の上に又はその上方に、その幅方向に延びて設けられたベース部と、該ベース部の両端部位から上方へと立ち上がりそしてＵ字溝の側壁内面の上に又はそれより離れてそれぞれ延設された左右のサイド部と、該左右のサイド部の上端部位から外方へとそれぞれ延接された左右のフランジ部と、該左のサイド部と該右サイド部とを繋ぐ連結部とを、一体に成形してなる。
【００１１】
ベース部、左右のサイド部、左右のフランジ部及び連結部は、土圧のかかったＵ字溝側壁部を支持することができればよく、素材及び製造方法は特に限定されない。例えば、合成樹脂、繊維強化樹脂、金属等により、一体的に形成されている。例えば、ポリエチレン樹脂、ポリ塩化ビニル、ポリプロピレン、ポリエチレンテレフタレート、ポリアミド、ポリフェニレンスルフィド等の硬質合成樹脂、並びに、ＦＲＰ、ＦＲＴＰ等の繊維強化樹脂を既知の方法により成形できる。成形方法としては、例えば、射出成形法、移送成形法、圧縮成形法、中空成形法及び回転成形法等の方法を使用できる。また、例えば、ステンレス等の金属を鋳造、塑性加工或いは板金加工等で製造しても良いし、金属製のアングル或いはパイプを１本乃至複数本曲げ加工又は溶接して成形してもよい。また、金属を耐水塗装したもの、又はインサート成形により金属壁を挟み込んだ合成樹脂製の補強構造体なども使用できる。
【００１２】
上記ベース部及びサイド部の外側表面は、補強構造体のサイド部と近接又は当接するＵ字溝の側壁面をずれることなく支持できるよう、それぞれ、Ｕ字溝の底壁内面又は側壁内面に倣う又はそれに対応する形状を成している。これにより、Ｕ字溝の側壁に土圧がかかったとしても、Ｕ字溝が変形する前に、Ｕ字溝側面に接した補強構造体に対して荷重がかかるので、Ｕ字溝の上端が溝の側壁の中央部が内側に撓むことも防止することができる。
ここで、ベース部及びサイド部の外側表面は、Ｕ字溝の底壁及び側壁部の各内面に完全に密接する場合の他、一部においてこれら内面との間に部分的に隙間を有する形状であっても良い。例えば、補強構造体と対向するＵ字溝の内壁面の一部に凹部等を有していても、補強構造体の外側表面をその凹部に倣って凸部を有していなくても良い。また、例えば、１本或いは溶接等した複数の円柱又はパイプをベース部又はサイド部として使用する場合、これら円柱やパイプの接平面がＵ字溝の底壁内面又は側壁内面に倣う又はそれに対応する形状を成していればよい。
【００１３】
フランジ部は、上記左右のサイド部の上端部位から外方へとそれぞれ延設されてなる。フランジ部を有することで、フランジ部がＵ字溝側壁上面に引っ掛かり、補強構造体がＵ字溝内側に倒れ込むのを防止できる。これにより作業効率が向上する。
また、補強構造体のＵ字溝への固定手段は公知の手段を使用できる。例えば、フランジ部の下面をＵ字溝の両側壁上端平面に倣う又は対応する形状と成し、ネジ・ボルトとナット又はリベットにより固定すること等が考えられる。これにより、Ｕ字溝の底壁又は側壁に孔等を設けず、補強構造体を強固に固定することができる。したがって、Ｕ字溝側壁部に対して斜め方向の土圧がかかったとしても、Ｕ字溝の側壁がＵ字溝の長手方向に沿って動くのを防止でき、したがってＵ字溝側壁がねじれる様に内側に変形することを防止できる。
【００１４】
また、補強構造体の連結部は、土圧がかかったＵ字溝側壁を支持する補強構造体のサイド部が内側に倒れることを防止することができるように、左右のサイド部間に設けられていればよい。例えば、左のサイド部の上端部位と該右サイド部の上端部位とを繋ぐ連結部でもよいし、該左のサイド部の上端部位より下方でＵ字溝の側壁と対面する部位と該右のサイド部の上端部位より下方でＵ字溝の側壁と対面する部分とを繋ぐ連結部でもよい。連結部は、特に限定されないが、例えば平板状、柱状、棒状、パイプ等の中空状等のいずれの形状でもよく、また一つの補強構造体に複数個所或いはＸ字型に設けてもよく、好ましくは平板をベース部と略平行に設けることができる。
【００１５】
また、補強構造体はベース部と、サイド部と、フランジ部と、連結部とを一体に成形してなるので、容易にＵ字溝に取付け固定することができる。また、例えばＵ字項に蓋を取付ける必要がある場合は、連結部の位置をサイド部上端部位より下方に設けた補強構造体を使用することで、補強構造体を固定したＵ字溝に蓋を取付けられる。
【００１６】
また、一態様において、補強構造体は、Ｕ字溝の底壁内面の上に又はその上方に、その幅方向に延びて設けられたベース部と、該ベース部の両端部位から上方へと立ち上がりそしてＵ字溝の側壁内面の上に又はそれより離れてそれぞれ延設された左右のサイド部と、該左右のサイド部の上端部位から外方へとそれぞれ延接された左右のフランジ部とを一体に成形してなり、また該左右のフランジ部の間を架け渡すに足りる長さの架け渡し部材と、該架け渡し部材を該左右のフランジ上に固定することができる固定手段とを備えてなる。
【００１７】
架け渡し部材は、ベース部と、左右のサイド部と、フランジ部とからなる部材の左右のサイド部が内側に倒れ込むのを防止できるように、左右のフランジ部に固定できるものであればよい。固定手段は特に限定されず、上述のＵ字溝と補強構造体との固定手段を用いることができる。また、Ｕ字溝、補強構造体のフランジ部及び架け渡し部材を纏めて固定してもよい。例えば、架け渡し部材と左右のサイド部、或いは架け渡し部材と左右のサイド部とＵ字溝の側壁上面とに連通する孔を設けておき、これらを纏めてネジ・ボルトとナット又はリベットにより固定してもよい。
特に架け渡し部材をＵ字溝に直接固定することで、Ｕ字溝の側壁部に斜めに土圧がかかったときでも、ベース部と、左右のサイド部と、フランジ部とからなる部材と一体となってＵ字溝側壁がＵ字溝の長手方向に沿って動くことを防止でき、Ｕ字溝側壁がねじれ変形することをより強く防止できる。
【００１８】
また、ベース部と、左右のサイド部と、フランジ部とからなる部材は、上述した合成樹脂及び金属等の材料を使用し、そして上述した既知の方法により、一体として成形したものを使用できる。また、架け渡し部材も、上述した合成樹脂及び金属等の材料を使用し、そして上述した既知の方法により製造できる。両部材とも、簡易な構造であるため、連結部材を有する補強構造体よりもより容易に製造できる。また、使用するＵ字溝にもよるが、ベース部と左右のサイド部とがなす角を鈍角にすることで、重ねることができるようになり、運搬及び保管が容易になる。
また、ベース部及び左右のサイド部の外側表面は、上述した様に、補強構造体のサイド部と近接又は当接するＵ字溝の側壁面をずれることなく支持できるよう、それぞれ、Ｕ字溝の底壁内面又は側壁内面に倣う又はそれに対応する形状を成している。これにより、Ｕ字溝の側壁に土圧がかかったとしても、Ｕ字溝が変形する前に、Ｕ字溝側面に接した補強構造体に対して荷重がかかるので、Ｕ字溝の側壁が内側に倒れ込むこと及び側壁の中央部が内側に撓むことを防止することができる。
【００１９】
＜Ｕ字溝＞
また、本発明の補強構造体は、使用するＵ字溝に併せて設計することができる。そのため、両側壁及び底壁の内壁面が平らな合成樹脂製Ｕ字溝だけでなく、底壁部から左右の側壁部の上部へと延びる凸条部及び凹条部を溝の長手方向に連続形成された内壁面を有する合成樹脂製のＵ字溝にも使用することができる。
特に、Ｕ字溝の内側表面が、Ｕ字溝側面と平行な平面であるＵ字溝に使用することが好ましい。これにより、補強構造体の外側表面は、Ｕ字溝の内側表面により確実に当接でき、またＵ字溝の側面部に垂直にかかる土圧に対してより強くＵ字溝側面を支持できる。また、Ｕ字溝の側面部に斜めにかかる土圧に対しても、Ｕ字溝の側面がＵ字溝の長手方向にそって動こうとするのに対して最も摩擦を有するので、Ｕ字溝のねじれ変形をより防止できる。
例えば、硬質合成樹脂または繊維強化樹脂からなるＵ字溝であって、その底壁及び左右の側壁について、溝内部より見て、凹形状の凹壁部及び凸形状の凸壁部を交互に溝の長手方向にわたって実質連続して形成してなり、該凹壁部は、平坦な底面と、この面及び凸壁部に連なる左右の斜面とを有する凹条構造を成し、また該凸壁部は、平坦な頂面と、この
面及び凹壁部に連なる左右の斜面とを有する凸条構造を成し、そして前記左右の側壁上部において、前記凹壁部は、側壁の上端に向けて外方から内方へと絞り込まれた形状を成すとともに、該左右の側壁の上端において、外方に延びる補強フランジを溝の長手方向にわたって連続形成してなることを特徴とするＵ字溝に使用することが好ましい。
【００２０】
また、Ｕ字溝の補強方法として、両側壁部の上端縁に沿い板状或いはＬ型アングル型補強部材を取付ける方法が知られている（特開２０１５−１２４５０９）。本発明の補強構造体は、アングル型補強部材を取付けたＵ字溝にも適用することができる。
【実施例】
【００２１】
図面を参照して、本発明を更に詳細に説明する。以下の実施例はいかなる場合も、本発明を限定するものと解釈してはならない。
【００２２】
本願実施例においては、ポリエチレン樹脂からなるＵ字溝１であって、その底壁１１及び左右の側壁１２について、溝内部より見て、凹形状の凹壁部１４及び凸形状の凸壁部１６を交互に溝の長手方向にわたって実質連続して形成してなり、該凹壁部は、平坦な底面１５と、この面及び凸壁部に連なる左右の斜面とを有する凹条構造を成し、また該凸壁部は、平坦な頂面１７と、この面及び凹壁部に連なる左右の斜面とを有する凸条構造を成し、そして前記左右の側壁上部において、前記凹壁部は、側壁の上端に向けて外方から内方へと絞り込まれた形状を成すとともに、該左右の側壁の上端において、外方に延びる補強フランジ１３を溝の長手方向にわたって連続形成してなるＵ字溝１について使用される、Ｕ字溝用補強構造体２乃至５について説明する。
なお、補強フランジ１３には、Ｕ字溝に補強構造体をネジ及びナットで固定するために使用する孔１８を設けられている。
【００２３】
（実施例１）
図１（Ａ）は、補強構造体２の正面図、図１（Ｂ）は、補強構造体２の斜視図である。補強構造体２は、ポリエチレン製樹脂からなり、図１（Ａ）及び（Ｂ）に示すように、ベース部２１と、左右のサイド部２２と、フランジ部２３と、サイド部２２の上端部位間を繋ぐ連結部２４とを一体に成形してなる。
補強構造体２は、Ｕ字溝１の内側に固定されるべく、ベース部２１の長さはＵ字溝１の側壁１２の凹壁部１４間の幅と略同じ長さであり、両サイド部２２の高さは、Ｕ字溝１の底壁の凹壁部から側壁１２の上端までの長さと略同じ長さである。そしてベース部２２及びサイド部２３の外側表面２５、２６は、Ｕ字溝１の凹壁部１４の平坦な底面１５に倣って平坦に形成されている。フランジ部２３の長さは、Ｕ字溝１の補強フランジ１３の幅と略同じ長さであり、フランジ部２３は補強フランジ１３の孔１８に対応する部分に孔２５が設けられている。また、補強構造体２の幅は、Ｕ字溝１の凹壁部１４の平坦な底面１５の幅と略同じ長さであり、補強構造体２の厚みは、Ｕ字溝１の凹壁部の平坦な底面から凸壁部の平坦な頂面までの長さに略等しい。
【００２４】
（実施例２）
図２（Ａ）は、補強構造体３の正面図、図１（Ｂ）は、補強構造体３の斜視図である。補強構造体３は、図１（Ａ）及び（Ｂ）に示すように、ベース部３１、左右のサイド部３２及びフランジ部３３と、架け渡し部材３４とからなっている。
補強構造体３は、ポリエチレン製樹脂からなり、Ｕ字溝１の内側に固定されるべく、ベース部３１の長さはＵ字溝１の側壁１２の凹壁部１５間の長さと略同じ長さであり、両サイド部３２の高さは、Ｕ字溝１の凹壁部の平坦な底面から側壁１２の上端までの長さと略同じ長さである。そして、ベース部３１及びサイド部３２の外側表面３５、３６は、Ｕ字溝１の凹壁部１４の平坦な底面１５に倣って平坦に形成されている。フランジ部３３の長さは、Ｕ字溝１の補強フランジ１３の幅と略同じ長さであり、フランジ部３３はＵ字溝の
補強フランジ１３の孔１８に対応する部分に孔３５が設けられている。架け渡し部材３４の長さは、フランジ部３３の外側末端から、他方のフランジ部の外側末端までの長さと同じ長さとし、フランジ部３３の上面全体が架け渡し部材３４の下面とほぼ当接するように形成されて成る。また、架け渡し部材３４にはフランジ部に設けられた孔３５と対応する箇所に孔３７が設けられており、架け渡し部材３４をフランジ部にビス及びナットで固定することができる。また、補強構造体３の幅は、Ｕ字溝１の凹壁部１４の平坦な底面１５の幅と略同じであり、補強構造体３の厚みは、Ｕ字溝１の凹壁部の平坦な底面から凸壁部の平坦な頂面までの長さに略等しい。
【００２５】
（実施例３）
図３（Ａ）は、補強構造体４の正面図、図３（Ｂ）は、補強構造体４の斜視図である。補強構造体４は、図１（Ａ）及び（Ｂ）に示すように、ベース部４１及び左右のサイド部４２、フランジ部４３及び左右のサイド部４２の略中央部分同士を繋ぐ連結部４４からなっている。
補強構造体４は、ポリエチレン製樹脂からなり、Ｕ字溝１の内側に固定されるべく、ベース部４１の長さはＵ字溝１の側壁１２の凹壁部間の幅と略同じ長さであり、両サイド部４４の高さは、Ｕ字溝１の凹壁部の底壁部から側壁１２の上端までの長さと略同じ長さである。そして、ベース部４１及びサイド部４２外側表面４５、４６は、Ｕ字溝１の凹壁部１４の平坦な底面１５に倣って平坦に形成されている。フランジ部４３の長さは、Ｕ字溝１の補強フランジ１３の幅と略同じ長さであり、フランジ部４３はＵ字溝の補強フランジ１３の孔１８に対応する部分に孔４５が設けられている。また、補強構造体４の幅は、Ｕ字溝１の凹壁部１４の平坦な底面１５の幅と略同じ長さであり、補強構造体４の厚みは、Ｕ字溝１の凹壁部の平坦な底面から凸壁部の平坦な頂面までの長さに略等しい。
【００２６】
（実施例４）
図４（Ａ）は、補強構造体５の正面図、図４（Ｂ）は、補強構造体５の斜視図である。補強構造体５は、図４（Ａ）及び（Ｂ）に示すように、Ｕの字型に曲げ加工した３本のパイプを溶接したものと、３本の直線状のパイプを溶接したものとを、Ｕの字型の上端と直線状のパイプの側面とを溶接したものであり、ベース部５１、左右のサイド部５２、フランジ部５３及び連結部５４からなっている。
補強構造体４は、Ｕ字溝１の内側に固定されるべく、ベース部５１の長さはＵ字溝１の側壁１２の凹壁部１４間の幅と略同じ長さであり、両サイド部５２の高さは、Ｕ字溝１の凹壁部１４の平坦な底面１５から側壁１２の上端までの長さと略同じ長さである。ベース部５１及びサイド部５２を構成する３本のパイプの接平面（ベース部５１及びサイド部５２の外側表面５５、５６）はＵ字溝１の凹壁部１４の平坦な底面１５と平行になる様に形成されている。フランジ部５３の長さは、Ｕ字溝１の補強フランジ１３の幅と略同じ長さであり、フランジ部５３の真ん中のパイプにはＵ字溝の補強フランジ１３の孔１８に対応する部分に孔５５が設けられている。また、補強構造体５の幅は、Ｕ字溝１の凹壁部１５の平坦な底面１５の幅と略同じ長さである。
【００２７】
（実施例５）
図５（Ａ）は、実施例１乃至実施例４の補強構造体２乃至５を、Ｕ字溝１の内側の凹壁部１５に固定した状態を表す図であり、図５（Ｂ）乃至図５（Ｅ）は、それぞれ図５（Ａ）のｂ−ｂ’、ｃ−ｃ’、ｄ−ｄ’、ｅ−ｅ’断面図である。
補強構造体２、４及び５のＵ字溝１への取付けには、補強構造体２、４及び５のサイド部２２、４２及び５２の外側表面２６、４６及び５６と、側壁１２の凹壁部１４の平坦な底面１５とを併せ、Ｕ字溝１の上方から嵌めこみ、そしてフランジ部２３、４３及び５３と、補強フランジとを連通する孔２５、４５及び５５と孔１８とをボルト及びナットを使用して固定した。
補強構造体３のＵ字溝１への取付けには、補強構造体３のサイド部３３の外側表面３６
と、側壁１２の凹壁部１４の平坦な底面１５とを併せ、Ｕ字溝１の上方から嵌め込み、そしてフランジ３３の上面に架け渡し部材３４を配し、架け渡し部材３４、フランジ部３３及び補強フランジ部１３を連通する孔３５、２５及び１８をボトル及びナットで固定した。
これにより、実施例１乃至４の補強構造体２乃至５は、そのベース部及び両サイド部がＵ字溝の凹壁部にはまり込み固定され、Ｕ字溝の側壁上部が内側に倒れ込むこと、Ｕ字溝側壁中央部が内側にたわむこと、及びＵ字溝の側壁上部がねじれる様に内側に倒れ込むことを効果的に防止することができる。
【符号の説明】
【００２８】
１  Ｕ字溝
１１  Ｕ字溝の底壁
１２  Ｕ字溝の側壁
２、３、４、５  補強構造体
２１、３１、４１、５１  ベース部
２２、３２、４２、５２  サイド部
２３、３３、４３、５３  フランジ部
２４、４４、５４  連結部
３４  架け渡し部材
２５、３５、４５、５５  ベース部の外側表面
２６、３６、４６、５６  サイド部の外側表面
２７、３７、４７、５７  孔（固定手段）
【図１】
2017155519.tif 000003
【図２】
2017155519.tif 000004
【図３】
2017155519.tif 000005
【図４】
2017155519.tif 000006
【図５】
2017155519.tif 000007